(57)【要約】【課題】対象指示区間と対象音声区間との対応関係を明確にすることで認識失敗や誤認識を解消することを目的とする。【解決手段】  音声が入力される音声入力部２と、音声入力部２により入力された音声のうち、音声処理の対象とする区間を指示する指示入力部４と、指示入力部４により指示入力された対象指示区間情報を通知する通知部５と、音声入力部２によって入力された音声のうち、指示入力部４により指示入力された対象指示区間の音声を音声処理の対象として抽出する音声抽出部６と、を具備したことを特徴とする音声認識装置１。【選択図】      図１
2008129084.tif 000002
【特許請求の範囲】
【請求項１】
音声が入力される音声入力手段と、
前記音声入力手段により入力された音声のうち、音声処理の対象とする区間を指示する指示入力手段と、
前記指示入力手段により指示入力された対象指示区間情報を通知する通知手段と、
前記音声入力手段によって入力された音声のうち、前記指示入力手段により指示入力された対象指示区間の音声を音声処理の対象として抽出する対象音声抽出手段と、
を具備したことを特徴とする音声入力装置。
【請求項２】
前記通知手段は、前記指示入力手段による前記音声処理の対象とする対象指示区間と、前記音声処理の対象としない非対象指示区間とを区別して、前記対象指示区間情報を表示する表示手段であることを特徴とする請求項１記載の音声入力装置。
【請求項３】
前記表示手段は、前記対象指示区間中に点灯し、前記非対象区指示間中に消灯するライト部を備えたことを特徴とする請求項２記載の音声入力装置。
【請求項４】
前記通知手段は、前記対象指示区間における前記音声入力手段の位置が前記非対象指示区間における前記音声入力手段の位置よりも音声発生部分に近くなるように、前記音声入力手段の位置を調整する入力調整手段を備えたことを特徴とする請求項１記載の音声入力装置。
【請求項５】
前記通知手段は、ユーザと前記音声入力手段との間に配された遮蔽部材を、前記非対象指示区間中はユーザから前記音声入力手段を隠すとともに前記対象指示区間中はユーザに対して前記音声入力手段を露出させるように調整する遮蔽調整手段を備えたことを特徴とする請求項１記載の音声入力装置。
【請求項６】
前記表示手段において、前記対象指示区間情報と、前記音声入力手段に入力される音声の波形とが、時系列で対応して表示されることを特徴とする請求項２に記載の音声入力装置。
【請求項７】
音声が入力される工程と、
前記入力された音声のうち、音声処理の対象とする区間が指示される工程と、
前記指示された対象指示区間情報を通知する工程と、
前記入力された音声のうち、前記指示された対象指示区間の音声を音声処理の対象として抽出する工程と、
を備えたことを特徴とする音声入力方法。
【発明の詳細な説明】
【技術分野】
【０００１】
本発明は、音声入力装置及び音声入力方法に係り、例えば音声認識装置や話者認識装置に用いられるものに関する。
【背景技術】
【０００２】
近年、人（ユーザ）が発する音声を音声コマンドとして認識する音声認識装置や、パスワード音声等の声を分析して発話者が誰か等を識別する話者認識装置が知られている。これら音声認識装置や話者認識装置等において、周囲の雑音と、音声処理の対象となるコマンド音声やパスワード音声との聞き間違えを防止する方式として、Ｐｕｓｈ  Ｔｏ  Ｔａｌｋ方式が用いられている。このＰｕｓｈ  Ｔｏ  Ｔａｌｋ方式では、例えばユーザによるスイッチ操作に応じて、音声処理の対象となるコマンド音声等の対象音声と、雑音等の非対象音声とが区別される。すなわち、例えばユーザによってスイッチが押下されている間が対象区間とされ、この対象区間中に受信した音声信号のみが音声処理の対象として音声処理部に送られる。しかしながら、操作に不慣れなユーザや気の早いユーザは、実際に発話が終了する前、すなわち対象区間中に、対象区間終了を指示する操作をしてしまうこと等がある。このため、音声入力部が対象となる音声を受信し又はユーザが対象音声を発生する対象音声区間と、ユーザが対象音声として指示する対象指示区間との間にずれが生じ、正確な音声抽出が困難となる。  
これに鑑みて、ユーザから対象区間終了の指示が行われた後の一定時間を対象区間として処理する技術が提供されている（例えば、特許文献１参照）。
【特許文献１】特開２００４―９４０７７号公報
【発明の開示】
【発明が解決しようとする課題】
【０００３】
しかしながら上述の技術には次のような問題があった。すなわち、音声入力部が対象となる音声を受信し又はユーザが対象音声を発生する対象音声区間と、ユーザによって指示された対象指示区間との対応関係が不明であるため、指示終了後に対象区間としての処理を継続させる時間を適切に設定することができない。したがって認識失敗や誤認識などを確実に解消することは困難である。
【０００４】
そこで、本発明では、対象指示区間と対象音声区間との対応関係を明確にすることで認識失敗や誤認識を解消することを目的とする。
【課題を解決するための手段】
【０００５】
本発明の一例に係る音声入力装置は、音声が入力される音声入力手段と、前記音声入力手段により入力された音声のうち、音声処理の対象とする区間を指示する指示入力手段と、前記指示入力手段により指示入力された対象指示区間情報を通知する通知手段と、前記音声入力手段によって入力された音声のうち、前記指示入力手段により指示入力された対象指示区間の音声を音声処理の対象として抽出する対象音声抽出手段と、を具備したことを特徴とする。
【０００６】
本発明の他の一例に係る音声入力装置は、上記に加え、前記通知手段は、前記指示入力手段による前記音声処理の対象とする対象指示区間と、前記音声処理の対象としない非対象指示区間とを区別して、前記対象指示区間情報を表示する表示手段であることを特徴とする。
【０００７】
本発明の他の一例に係る音声入力装置は、上記に加え、前記表示手段は、前記対象指示区間中に点灯し、前記非対象区指示間中に消灯するライト部を備えたことを特徴とする。
【０００８】
本発明の他の一例に係る音声入力装置は、上記に加え、前記通知手段は、前記対象指示区間における前記音声入力手段の位置が前記非対象指示区間における前記音声入力手段の位置よりも音声発生部分に近くなるように、前記音声入力手段の位置を調整する入力調整手段を備えたことを特徴とする。
【０００９】
本発明の他の一例に係る音声入力装置は、上記に加え、前記通知手段は、ユーザと前記音声入力手段との間に配された遮蔽部材を、前記非対象指示区間中はユーザから前記音声入力手段を隠すとともに前記対象指示区間中はユーザに対して前記音声入力手段を露出させるように調整する遮蔽調整手段を備えたことを特徴とする。
【００１０】
本発明の他の一例に係る音声入力装置は、上記に加え、前記表示手段において、前記対象指示区間情報と、前記音声入力手段に入力される音声の波形とが、時系列で対応して表示されることを特徴とする。
【００１１】
本発明の一例に係る音声入力方法は、音声が入力される工程と、前記入力された音声のうち、音声処理の対象とする区間が指示される工程と、前記指示された対象指示区間情報を通知する工程と、前記入力された音声のうち、前記指示された対象指示区間の音声を音声処理の対象として抽出する工程と、を備えたことを特徴とする。
【発明の効果】
【００１２】
かかる手段を講じた本発明によれば、ユーザに、対象音声区間と対象指示区間との対応を認知させることで、適切な操作を促すことができる。したがって誤認識や認識失敗を防ぐことができる。
【発明を実施するための最良の形態】
【００１３】
［第１実施形態］  
以下、本発明を実施するための一実施形態について、図１乃至図３を参照して説明する。本実施形態は、本発明の一例にかかる音声入力装置及び音声入力方法を、コマンド音声を認識して操作する音声認識装置１に適用したものである。図１は本実施の形態における音声認識装置１の要部の構成を示すブロック図である。
【００１４】
本実施形態の音声認識装置１は、音声が入力される音声入力手段としての音声入力部２、音声入力部２からのアナログの音声信号をデジタル信号に変換するＡＤ変換器３、音声処理の対象区間を指示する指示入力手段としての指示入力部４、入力された指示内容をユーザ１０に通知する通知手段としての通知部５、音声処理の対象となる音声信号のみを音声処理装置に送信する音声抽出手段としての音声抽出部６を有する制御部７、データの書き出しや読み出しが行われる記憶部８、及び対象音声信号に各種処理をする音声処理手段としての音声認識部９を備えている。
【００１５】
図１及び図２に示すように、音声入力部２は、ユーザ１０が発するコマンド音声に対応する圧力変化によるアナログ音声信号を電気信号に変換するマイクロフォン２１や増幅器等を備えている。音声入力部２は、例えば常にＯＮ状態とされ、例えば、ユーザ１０が発するコマンド音声を含む音声以外の周囲の雑音も含めて常時音声信号を出力するように設定されている。
【００１６】
指示入力部４は、押圧されている間にＯＮ状態となるモメンタリ型のスイッチボタン４１を備えている。このスイッチボタン４１がユーザ１０によって操作されると、この操作内容に対応した対象指示区間情報を制御部７に送信する。例えば、スイッチボタン４１が押下されることで対象指示区間の開始が指示され、スイッチボタン４１の押圧力が解除されることで対象指示区間の終了が指示される。すなわち、ユーザ１０はコマンド音声を発話する直前にスイッチボタン４１を押し、発話を行っている間は押しスイッチボタン４１を押し続け、発話終了後に押しスイッチボタン４１を離すという動作により、対象音声としてのコマンド音声の発話と、これに対応した指示入力とを行うことができる。
【００１７】
制御部７は、ＣＰＵ等の制御装置から構成され、音声入力部２から入力された音声信号がＡＤ変換器によって変換された音声データとしてのデジタル音声信号を受信するとともに、入力指示信号に応じて通知部５を制御する機能や、記憶部８に音声データを記憶させる機能等を有している。また、制御部７は、入力指示信号に応じて対象指示区間の音声を音声認識部９に送信する音声抽出部６を備えている。すなわち、音声抽出部６では音声入力部２から制御部７に送られる音声信号のうち、指示入力部４によって開始と終了が指示された対象指示区間内の音声のみを音声認識部９に送る機能を有する。
【００１８】
通知部５は、指示内容、すなわち指示入力部４で対象指示区間とされた入力開始から入力終了までの間を、ユーザ１０に知らしめる機能を有する。通知部５は、例えば音声入力部２のマイクロフォン２１近傍に配され、制御部７に制御されることにより、対象音声区間指示に基づいて点滅可能に構成されたライト部５１を備えている。
【００１９】
図２（ａ）は、ライト部５１の非対象指示区間の状態を示し、図２（ｂ）は、ライト部５１の対象指示区間の状態を示している。ライト部５１は、非対象指示区間では消灯し、対象指示区間では点灯する。すなわち、ライト部５１は、例えば上記スイッチボタン４１が押された瞬間に点灯し始め、スイッチボタン４１が解除されると消灯するように構成されている。これにより、入力対象区間指示手段に入力された対象指示区間情報をユーザ１０が視認することができる。このため、ユーザ１０は自身がコマンド音声を発している際にライト部５１が点灯しているかどうかを確認することにより対象指示区間と実際の対象音声区間である発話時との対応関係を認知することができ、誤認識や認識失敗を防ぐことができる。
【００２０】
音声認識部９は対象音声抽出部６で抽出された対象音声データを、受信し、周波数等を用いて解析するとともに、あらかじめ登録されたコマンドパターンと比較する等の音声認識処理を行う機能を有する。
【００２１】
次に、本実施形態にかかる音声認識装置１の制御部７における制御工程について図３を参照して説明する。図３は、本発明の実施例の制御の流れを示すフロー図である。  
まず、ＳＴ（ステップ）１において、制御部７は、マイクロフォン２１に圧力の変動であるアナログ音声信号として入力された音声が増幅器やＡＤ変換器３を介して増幅及び変換されて生成された音声データとしてのデジタル音声信号を、受信する。
【００２２】
ＳＴ２において、制御部７は、指示入力部４に対象区間開始指示があるか否かを判定する（ＳＴ２）。ここで対象区間開始指示がない場合は、受信したデジタル音声信号を全て破棄し（ＳＴ３）、対象区間開始指示があるまでＳＴ１乃至ＳＴ３を繰り返す。この結果ユーザ１０が開始指示を入力する以前の音声データは全て破棄される。
【００２３】
ついで、ユーザ１０がスイッチボタン４１を押圧する等によって対象区間開始指示がされると、制御部７は、この指示信号を受けて通知部５をＯＮ状態とする（ＳＴ４）。ここでは、例えばそれまで消灯していたライト部５１を点灯させる。この結果、ユーザ１０は対象指示区間が開始されていることを視認することができる。
【００２４】
また、制御部７は、対象区間開始指示に対応する指示信号を受けると、受信するデジタル音声信号を記憶部８に一時記憶させ始める（ＳＴ５）。
【００２５】
ついで、制御部７は、ユーザ１０による対象指示区間を終了する信号があるか否かを判定する（ＳＴ６）。
【００２６】
ここで、対象指示区間終了信号がない場合は、対象指示区間指示信号を受けるまで一時記憶を繰り返す（ＳＴ７）。
【００２７】
ここで、制御部７は、ユーザ１０のスイッチボタン４１の押圧解除等により、対象指示区間終了信号を受けると、一時記憶を終了するとともに（ＳＴ８）、通知部５をＯＦＦ状態とする（ＳＴ９）。すなわち、ライト部５１を消灯させる。ユーザ１０は、このライト部５１の消灯により自身が終了指示をしたことを認知することができるため、ライト部５１の消灯後に対象音声を発音する際には、再度スイッチボタン４１を押して対象区間とすることにより、対象音声が確実に音声処理されるように調節することが可能である。
【００２８】
制御部７の音声抽出部６において、対象区間において記憶部８に記憶されたデジタル音声信号を、音声認識部９に送信する（ＳＴ１０）。この結果、対象音声のみが音声認識処理される。
【００２９】
本実施形態にかかる音声認識装置１及び音声入力方法によれば次の効果が得られる。すなわち、対象音声を入力すべく指示された対象指示区間を、リアルタイムでユーザ１０に知らしめることにより、対象指示区間と自身の発話のタイミングすなわち対象音声区間とを比較することができる。したがって、ユーザ１０はスイッチボタン４１を離すタイミングが早すぎるなどの操作上の問題点を認知できる。この結果、ユーザ１０が発話開始時やスイッチボタン４１解除時を調節することにより、音声認識の正確性を向上させることができる。
【００３０】
また、一般的に、人間はライトが点灯している間は装置が可動中であるという常識（メタ概念）を有しているので、特に説明をしなくても自然に点灯中が音声入力可能であることを認知できる。
【００３１】
さらに、通常、ユーザ１０は認識失敗などにより装置に対して不満を抱くが、自身の指示入力と発音タイミングとの対応関係を認知することにより、失敗の原因が解明できるため、ユーザ１０自身の操作能力を向上できるとともに、音声認識装置１に対する不満を解消できる。
【００３２】
［第２実施形態］
次に、第２実施形態にかかる音声認識装置１及び音声入力方法について図４及び図５を参照して説明する。なお、本実施形態にかかる音声認識装置１において、通知部５以外の構成は第１実施形態にかかる音声認識装置１と同様であるため説明を省略する。
【００３３】
本実施形態における制御部７は、入力指示に応じてロータリソレノイド５４を駆動させる機能を備えている。
【００３４】
通知部５は、入力指示に応じてマイクロフォン２１をユーザ１０に対して近づけあるいは退避させる入力調整手段としてのマイク調整部５２を備えている。マイク調整部５２は、制御部７に制御されて所定の出力で出力軸５３を回転させるロータリソレノイド５４と、出力軸５３の回転に伴って回動するフレーム５５と、フレーム５５を支持する固定台５６とを備えている。出力軸５３は軸受けを介して固定台５６に対して回動可能に保持されている。固定台５６及びフレーム５５はマイクロフォン２１の柄を挿入可能なマイクロフォン支持部５７を構成する。マイクロフォン２１は、このマイクロフォン支持部５７に挿入され、出力軸５３に固定されている。
【００３５】
したがって、マイクロフォン２１は入力指示に応じて特定の方向に起立、傾斜可能に構成されている。ここでは、マイク調整部５２は、制御部７の制御に応じて、対象指示区間とされた入力開始から入力終了までの間は、図５において二点鎖線で示すようにマイクロフォン２１を傾斜させ、マイクロフォン２１の先端を音声発生位置としての発音者の口元に向ける。マイク調整部５２は、非対象区間においては、図５において実線で示すようにマイクロフォン２１を鉛直方向に起立させることでマイクロフォン２１の先端を口元から退避させる。したがって、ユーザ１０はマイクロフォン２１の位置を視認することにより、対象指示区間情報を認知可能となる。
【００３６】
次に、本実施形態の制御手順について説明する。なお、本実施形態の制御手順のうち、ＳＴ４及びＳＴ９以外は上記第１実施形態と同様であるため説明を省略する。
【００３７】
ＳＴ４において、ユーザ１０がスイッチボタン４１を押圧する等によって対象指示区間開始が指示されると、制御部７は、この指示信号を受けて通知部５におけるマイク調整部５２をＯＮ状態とする。すなわちここでは、制御部７の制御によりロータリソレノイド５４を回転させる。これにより、軸部及びフレーム５５部の回転とともにマイクロフォン２１が傾斜し、マイクロフォン２１の先端が発話者であるユーザ１０の口元に近づく。この結果、ユーザ１０はマイクロフォン２１の向きから、対象指示区間が開始されていることを視認することができる。
【００３８】
また、制御部７は、ユーザ１０のスイッチボタン４１の押圧解除等により、対象指示区間終了信号を受けると、一時記憶を終了するとともに（ＳＴ８）、通知部５におけるマイク調整部５２をＯＦＦ状態とする（ＳＴ９）。すなわち、制御部７によりロータリソレノイド、出力軸５３及びフレーム５５部を上記と逆方向に回転させることにより、マイクロフォン２１を図５に示す鉛直方向に起立させる。この結果、マイクロフォン２１の先端が発話者であるユーザ１０から退避する。これにより、ユーザ１０は対象指示区間が終了したことを認知することができる。このため、ユーザ１０は、例えばマイクロフォン２１の先端が退避した後にコマンド音声などの対象音声を発音する際には、再度スイッチボタン４１を押して対象区間とすることにより、対象音声が確実に音声処理されるように調節することが可能である。
【００３９】
本実施形態にかかる音声認識装置１及び音声入力方法においても上記第１実施形態にかかる音声認識装置１及び音声入力方法と同様の効果を得られる。さらに、マイクロフォン２１の位置を調節することにより特別な注意力を要せずに、音声認識の確実性を高めることができる。一般的に、発話者は対象音声を発する際は必ずマイクロフォン２１の位置を確認するからである。したがって、ユーザ１０が対象音声を発する際に、マイクロフォン２１が退避している場合にはスイッチボタン４１を押下することによりマイクロフォン２１を対象区間状態にしてから発音するように調節することにより、音声が聴衆に聞こえやすくなると同時に確実に対象音声として処理される。
【００４０】
［第３実施形態］
次に、第３実施形態について、図６及び図７を参照して説明する。なお、本実施形態にかかる音声認識装置１において、通知手段としての通知部５以外の構成は第１実施形態にかかる音声認識装置１と同様であるため説明を省略する。
【００４１】
本実施形態における制御部７は、入力指示に応じてロータリソレノイド５４を駆動させる機能を備えている。  
本実施形態にかかる通知部５は、図６及び図７に示す遮蔽部材５７を備えている。遮蔽部材５７は、マイクロフォン２１とユーザ１０との間に配されたシャッター部材５８と、入力指示に応じてシャッター部材５８を傾けることによりマイクロフォン２１をユーザ１０から隠しあるいは露出させるシャッター調整部５９とを備えている。シャッター調整部５９は、第２実施形態と同様に、制御部７の制御に応じて所定の出力で出力軸５３（不図示）を回転させるロータリソレノイド５４を備えている。
【００４２】
図６及び図７に示すシャッター部材５８は、複数のＬ字シャッター５８ａから構成されている。複数のＬ字シャッター５８ａは一端が連結された状態で高さ方向に並べられている。この複数のＬ字シャッター５８ａのうち、少なくとも１つのＬ字シャッター５８ａは出力軸５３に接続されている。このＬ字シャッター５８ａが制御部７の制御よる出力軸５３の回転とともに回動すると、他のＬ字シャッター５８ａも連動して回動する構成となっている。この複数のＬ字シャッター５８ａを図７（ａ）に示す非対象状態と図７（ｂ）に示す対象状態との間で回動させる。すなわち、遮蔽部材５７は、入力指示に応じた制御部７の制御により、対象指示区間では開状態となり、非対象指示区間では閉状態となるように、開閉される。この遮蔽部材５７の開閉に伴い、ユーザ１０に対して、遮蔽部材５７の奥に配置されたマイクロフォン２１が隠れ、あるいは露出される。
【００４３】
本実施形態の制御手順について説明する。なお、本実施形態の制御手順のうち、ＳＴ４及びＳＴ９以外は上記第一実施形態と同様であるため説明を省略する。
【００４４】
ＳＴ４において、ユーザ１０がスイッチボタン４１を押圧する等によって対象区間開始指示がされると、この指示信号を受けて、制御部７が通知部５をＯＮ状態とする。ここでは、制御部７の制御によりロータリソレノイド５４を回転させ、軸部及びＬ字シャッター５８ａを傾斜させる。この結果、隣り合うＬ字シャッター５８ａ同士の間からマイクロフォン２１が視認できる。このためユーザ１０は対象指示区間が開始したことを視認することができる。
【００４５】
また、制御部７は、ユーザ１０のスイッチボタン４１の押圧解除等により、対象区間終了指示信号を受けると、一時記憶を終了するとともに（ＳＴ８）、通知部５をＯＦＦ状態とする（ＳＴ９）。すなわち、制御部７によりロータリソレノイド、出力軸５３、Ｌ字シャッター５８ａを上記と逆方向に回転させることにより、複数のＬ字シャッター５８ａの間の隙間が閉じられる。したがって、遮蔽部材５７によってユーザ１０から視認不可能となるようにマイクロフォン２１が被覆される。このため、ユーザ１０は、対象指示区間が終了したことを認知することができる。したがって、ユーザ１０は、マイクロフォン２１が被覆された後に対象音声を発音する際には、再度スイッチボタン４１を押して対象区間とすることにより、対象音声が確実に音声処理されるように調節することが可能である。
【００４６】
本実施形態にかかる音声認識装置１及び音声入力方法は上記第１及び第２実施形態にかかる音声認識装置１及び音声入力方法と同様の効果を得られる。
【００４７】
［第４実施形態］
次に、第４実施形態にかかる音声認識装置１及び音声入力方法について図８を参照して説明する。なお、本実施形態にかかる音声認識装置１において、通知部５以外の構成は第１実施形態にかかる音声認識装置１と同様であるため説明を省略する。
【００４８】
本実施形態にかかる通知部５は図８に示すモニタ６０を備えている。モニタ６０は、ユーザ１０が視認しうるようにユーザ１０及びマイクロフォン２１などの近傍に配置され、例えば図８に示すように、音声入力部に入力される音声を波形として時系列で表示する機能を有する。
【００４９】
図８における縦軸は音声パワーを示し、横軸は時間を示している。また、図８における中央の白色背景部分は指示入力部４による対象指示区間を示し、両側の網掛け背景部分は非対象指示区間を示す。すなわち、指示入力部４による対象指示区間と非対象指示区間とから構成される対象指示情報と、音声入力部に入力される音声を波形とした入力音声情報とが時系列に対応して表示されている。
【００５０】
本実施形態では、上記第１実施形態のように通知部５をＯＮ、ＯＦＦするＳＴ４及びＳＴ９の工程はなく、制御部７は、対象指示情報と入力される音声に応じて対応を表示している。これ以外の工程は上記第１実施形態と同様であるため説明を省略する。
【００５１】
ユーザ１０はこのモニタを視認することにより、対象指示区間と非対象指示区間を弁別可能な状態で、自身の発話した音声のパワーを見ることで、発話が対象指示区間内に完了しているかどうかを確認することができる。
【００５２】
図８の例では、矢印（Ｘ）で示された部分は音声パワーが高い領域が非対象指示区間に含まれている状態を示している。これはユーザ１０が完全に発話を終了する前に押しスイッチボタン４１を離して対象指示終了操作を行ったことを示している。すなわち、コマンド音声など音声処理の対象とすべき対象音声の一部が対象から漏れていることが示されている。この表示を見ることで特に音声認識の知識がないユーザ１０であっても失敗した原因がスイッチボタン４１操作のタイミングであると推測できる。
【００５３】
また、図８の矢印（Ｙ）で示された部分は縦軸のスケールの上限にパワーが達しており、音声のパワーがマイクロフォン２１の入力可能範囲に対して飽和している状態を示している。このような飽和した音声は歪みを有し、音声認識に失敗することがあるが、この場合においてもユーザ１０はこの自身の声の大きさが大きすぎた、あるいは発話の位置がマイクロフォン２１に近すぎたと推測できる。
【００５４】
本実施形態にかかる音声認識装置１及び音声入力方法においても、上記第１、第２及び第３実施形態と同様の効果を奏する。すなわち、ユーザ１０はモニタの表示を見ることで特に音声認識の知識がなくても失敗した原因がスイッチボタン４１操作のタイミングであると推測できる。したがって、適切な量・位置で発話するように調節することが可能となる。すなわち、例えば対象指示区間外でコマンド音声を発してしまった場合でも、再度スイッチボタン４１を操作することで対象指示区間を調整し、発話し直すことで、対象音声を確実に処理対象とすることができる。また、失敗原因を認識できるため、次回からの操作の正確性を向上することができる。さらに、本実施形態では発話音声のパワーを示すことにより、発生する音声の大きさやマイクロフォン２１からの位置についても調節することができ、より正確な音声処理が実現可能となる。
【００５５】
なお上記実施形態においては、本発明は上記各実施形態に限られるものではなく、各構成は適宜変形実施可能である。例えば、音声処理部として音声認識処理装置を適用した場合について説明したが、この他、話者認識装置など、音声認識装置１以外でも適用可能である。
【００５６】
上記第１実施形態では１つのライト部５１を備える構成としたが、二つのライト部５１を併設し、色によって対象指示区間であるか否かを表示することも可能である。この場合、たとえば、ユーザ１０のメタ概念に沿うように、非有効区間は赤色、有効区間を緑色とするとよい。
【００５７】
上記実施形態においては、マイクロフォン２１を常にＯＮ状態とした場合について説明したが、人感センサ等を利用してユーザ１０がマイクロフォン２１に近づいたときのみコマンド発話があると予想してマイクロフォン２１をＯＮとする方式でもよい。
【００５８】
さらに実施形態２及び実施形態３におけるマイク調整または遮蔽調整については、これらの動作をモニタ上で画像として表現することによっても実現できる。すなわち、画像上においてマイクロフォン２１を傾けた様子を表示し、あるいはマイクロフォン２１を表示したり消したりすることで同様の効果が得られる。
【００５９】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６０】
【図１】本発明の第１実施形態にかかる音声入力装置の構成を模式的に示すブロック図。
【図２】同音声入力装置の通知手段を模式的に示す説明図。
【図３】同音声入力装置の、制御部における制御工程を示すフローチャート。
【図４】本発明の第２実施形態にかかる通知手段を概略的に示す正面図。
【図５】本発明の第２実施形態にかかる通知手段を概略的に示す側面図。
【図６】本発明の第３実施形態にかかる通知手段を概略的に示す側面図。
【図７】本発明の第３実施形態にかかる通知手段を概略的に示す斜視図。
【図８】本発明の第４実施形態にかかるモニタの画面を示す正面図。
【符号の説明】
【００６１】
１…音声認識装置（音声入力装置）、２…音声入力部、４…指示入力部、５…通知部、６…音声抽出部、７…制御部、８…記憶部、９…音声認識部、１０…ユーザ、２１…マイクロフォン、４１…スイッチボタン、５１…ライト部、５２…マイク調整部（入力調整手段）、５７…遮蔽部材、５８…シャッター部材、５９…シャッター調整部（遮蔽調整手段）、６０…モニタ（表示手段）。
【図１】
2008129084.tif 000003
【図２】
2008129084.tif 000004
【図３】
2008129084.tif 000005
【図４】
2008129084.tif 000006
【図５】
2008129084.tif 000007
【図６】
2008129084.tif 000008
【図７】
2008129084.tif 000009
【図８】
2008129084.tif 000010